(57)【特許請求の範囲】
【請求項１】
運転席（３２）を有する旋回台（３）の前記運転席（３２）の左右方向側部に、該旋回台（３）に搭載した機器を覆うボンネット（４０）を備え、該ボンネット（４０）の上壁（４０ａ）に前記機器の点検窓（４１）を形成している旋回作業機のボンネット装置であって、
前記点検窓（４１）が、前記機器を左右外側方から点検可能とするようにボンネット（４０）の上壁（４０ａ）から左右外側壁（４０ｂ）に亘って形成されており、
前記点検窓（４１）の前縁（４１ａ）が後縁（４１ｂ）よりも低位置にあり、前記ボンネット（４０）の外側壁（４０ｂ）における点検窓（４１）の側縁（４１ｃ）が、前側が低く後側が高くなるように傾斜して形成されるとともに、その傾斜が前側から後側にかけて徐々に急となるように形成されており、
前記点検窓（４１）を開閉自在に閉鎖するカバー（４３）を備え、該カバー（４３）の左右内側部が、前記ボンネット（４０）の左右内側壁（４０ｃ）に左右方向に開閉揺動自在に支持されており、
前記ボンネット（４０）の外側壁（４０ｂ）は前記左右内側壁（４０ｃ）よりも深く掘り下げられていることを特徴とする旋回作業機のボンネット装置。
【請求項２】
前記カバー（４３）は、その左右内側部が、前記ボンネット（４０）の左側壁（４０ｃ）上縁にヒンジ部材（４４）を介して左右方向に開閉揺動自在に支持され、該ヒンジ部材（４４）の回動支軸は前下傾斜状とされていることを特徴とする請求項１に記載の旋回作業機のボンネット装置。
【請求項３】
前記機器としてのラジエータ（２５）、作動油タンク（２６）及び制御バルブユニット（２８）が前記ボンネット（４０）内に配設され、これらに対応した点検窓（４１，４２）を共通のカバー（４３）によって開閉自在に閉鎖するようにしたことを特徴とする請求項１又は２記載の旋回作業機のボンネット装置。
【請求項４】
前記作動油タンク（２６）の前下側に前記制御バルブユニット（２８）が横置きに配設され、この制御バルブユニット（２８）の上方で作動油タンク（２６）の前側にバッテリ（２９）が配設されていることを特徴とする請求項１〜３のいずれかに記載の旋回作業機のボンネット装置。
【発明の詳細な説明】
【０００１】
【発明の属する技術分野】
本発明は、バックホー等の旋回作業機におけるボンネット装置に関するものである。
【０００２】
【従来の技術】
バックホー等の旋回作業機においては、クローラ走行体の上部に上下軸心回りに回動自在に旋回台を備え、該旋回台の後部にエンジンを配設するとともに、これを開閉自在なボンネットにて覆い、旋回台の左右方向側部にタンク、ラジエータ等を配設してこれを旋回台に固定の側部ボンネットにより覆ったものが従来より公知である。
【０００３】
【発明が解決しようとする課題】
上記のような旋回作業機では、側部ボンネットが旋回台に固定であることから、通常、ボンネット上壁に内部機器点検用の点検窓が形成されるようになっている。
しかし、点検窓がボンネット上壁に形成されていると比較的高い位置から点検作業を行わなければならず、クローラ走行体等を利用した足場に乗り上がる必要があるために作業者の負担が増大する原因となっていた。また、ボンネット下部側に配設された機器を点検する場合、ボンネット上方から上体を深く折り曲げて手や工具等を挿入しなければならないため、作業者の負担をより増大するものとなっていた。
【０００４】
本発明はこのような問題に鑑み、作業者の負担を軽減してボンネット内の点検作業性（メンテナンス性）を向上する旋回作業機のボンネット装置を提供することを目的とする。
【０００５】
【課題を解決するための手段】
本発明は、上記目的を達成するために以下の技術的手段を講じている。すなわち、本発明は、運転席を有する旋回台の前記運転席の左右方向側部に、該旋回台に搭載した機器を覆うボンネットを備え、該ボンネットの上壁に前記機器の点検窓を形成している旋回作業機のボンネット装置であって、前記点検窓が、前記機器を左右外側方から点検可能とするようにボンネットの上壁から左右外側壁に亘って形成されており、前記点検窓の前縁が後縁よりも低位置にあり、前記ボンネットの外側壁における点検窓の側縁が、前側が低く後側が高くなるように傾斜して形成されるとともに、その傾斜が前側から後側にかけて徐々に急となるように形成されており、前記点検窓を開閉自在に閉鎖するカバーを備え、該カバーの左右内側部が、前記ボンネットの左右内側壁に左右方向に開閉揺動自在に支持されており、前記ボンネットの外側壁は前記左右内側壁よりも深く掘り下げられていることを特徴とするものである。
【０００６】
これによれば、作業者の負担となる動作や姿勢をとらなくともボンネットの外側方から容易に内部機器を点検することができるようになり、メンテナンス性の向上が可能となる。
【０００７】
点検窓がボンネットの外側壁を大きくほり下げた状態で形成されているので、点検作業をより容易に行い得るものとなる。また、背丈の低い機器であっても、点検窓の前側に対応して配設すれば容易に点検できるようになり、点検窓は、その前縁が後縁よりも低位置に形成されることから前方にも開放され、前方からの点検も可能となる。
上記の場合、前記点検窓を開閉自在に閉鎖するカバーの左右内側縁を、前記ボンネットの左右内側壁に左右方向に開閉揺動自在に設けているので、これによって、カバーを開くことで点検窓を上方、外側方及び前方に開放することが可能となる。
また、前記カバーは、その左右内側部が、前記ボンネットの左側壁上縁にヒンジ部材を介して左右方向に開閉揺動自在に支持され、該ヒンジ部材の回動支軸は前下傾斜状とされているのが好ましい。
【０００８】
本発明は、前記機器としてのラジエータ、作動油タンク及び制御バルブユニットが前記ボンネット内に配設され、これらに対応した点検窓を共通のカバーによって開閉自在に閉鎖するようにしたことを特徴とするものである。これによって、カバーを開くだけで、各機器を一時に点検可能となる。
更に、この場合、前記作動油タンクの前下側に前記制御バルブユニットを横置きに配置するのが好ましく、これによって制御バルブユニットの上方にスペースを形成することができ、このスペースを利用して、制御バルブユニットの上方で作動油タンクの前側にバッテリを配設することができるようになる。このような配置によって、バッテリに対する点検や交換等が容易に行える。
【０００９】
【発明の実施の形態】
以下、本発明の実施の形態を図面を参照して説明する。
図１には、バックホーで例示する本発明の旋回作業機１を示しており、このバックホー１は、クローラ形式の走行装置２の上部に、旋回台３を上下方向の軸心Ｘ回りに旋回自在に支持しており、クローラ走行装置２の前部にはドーザ装置４が設けられ、旋回台３の前部左側には、運転席３２と、ステップ３３と、操縦レバー３４とを有する操縦部３５が備えられ、該操縦部３５の上方はキャノピ装置３１により覆われている。操縦部３５の右側には、掘削装置（作業装置）５が支持されている。
【００１０】
また、本実施形態のバックホー１は、旋回台３が平面視で略円形状を呈するものとなっており、旋回台３の平面範囲内に掘削装置５の支持部６を配設し、且つ旋回台３の旋回軌跡が走行装置２の前後左右幅内にほぼ収まるように構成された、所謂超小旋回型のバックホーとされている。
掘削装置５は、旋回台３の支持部６に前後揺動自在に支持された第１ブーム８と、該第１ブーム８の上端に左右揺動自在に枢結された第２ブーム９と、該第２ブーム９の前端に左右揺動自在に枢結された連結ブラケット１０と、該連結ブラケット１０に上下又は前後揺動自在に枢結されたアーム１１と、該アーム１１に前後又は上下揺動自在に枢結されたバケット１２とを有し、第１ブーム８、アーム１１及びバケット１２は、それぞれ油圧シリンダよりなるブームシリンダ１３、アームシリンダ１４、バケットシリンダ１５により揺動動作されるようになっている。
【００１１】
また、第１ブーム８と連結ブラケット１０とは連係リンク１６により相互に連結され、この連係リンク１６と、第１，第２ブーム８，９及び連結ブラケット１０とによって平行４連リンクが構成され、第１，第２ブーム８，９間に介装された油圧シリンダよりなるオフセットシリンダ１７によって第２ブーム９が左右に揺動動作されるようになっている。
旋回台３は、その底部を構成する厚板材からなるベース部材２０を有し、該ベース部材２０の後部には、掘削装置５との重量バランスを図るウエイト２１が設けられている。また、ベース部材２０の側部及び前部には、カバー部材２２が設けられ、前記ウエイト２１とともに旋回台３の外郭を構成するものとなっている。
【００１２】
図２に示すように、ベース部材２０上には、ブラケット、ステー等を介してエンジン２４、ラジエータ２５、作動油タンク２６、燃料タンク２７、制御バルブユニット２８、バッテリ２９等が搭載され、これら機器はボンネット３８，３９，４０により覆われている。
前記エンジン２４は、旋回台３の後部に横向きに配置され、その一側（右側）にラジエータ２５が配置されている。また、旋回台３の左右一側（右側）でラジエータ２５の前側には、作動油タンク２６が配設され、該作動油タンク２６の前側に制御バルブユニット２８及びバッテリ２９が配設されている。
【００１３】
燃料タンク２７は、作動油タンク２６とは反対側となる旋回台３の左右他側（左側）であって、運転席３２の略下方に配置されており、このように作動油タンク２６と燃料タンク２７とを左右に振り分けて配置することで旋回台３の左右バランスを好適に図るとともに、旋回台３の右側部（右側部ボンネット４０内）のスペースが広く確保されるようになっている。
前記制御バルブユニット２８は、掘削装置５や走行装置２等の各油圧機器を制御する複数の制御バルブを互いに連結、一体化することによって略直方体のブロック状に形成されたものであり、図４及び図５に示すように、その長手方向を前後方向に向けた状態で作動油タンク２６の前下側に横置きに配設され、前記カバー部材２２によって前方及び外側方が覆われている。
【００１４】
制御バルブユニット２８を横置きに配設することにより、該制御バルブユニット２８の上方で作動油タンク２６の前側には、広いスペースが形成されるようになっており、このスペースを利用してバッテリ２９が配設されるようになっている。
バッテリ２９は、ブラケット３０を介して作動油タンク２６に直接的に支持され、その上面が作動油タンク２６の上面のやや下側に配設されるように可及的に高位置に配設されており、これによってバッテリ２９の点検、交換等のメンテナンス性が向上されるようになっている。
【００１５】
バッテリ２９の前方であって制御バルブユニット２８の上方には比較的広いスペースが残存しており、このスペースを作業者の荷物や車載工具等を収納するための収納スペースとして利用可能である。
図５に示すように、作動油タンク２６の後部には前方へ凹んだ凹部２６ａが形成されるとともに、ラジエータ２５の前部が凹部２６ａに入り込んで配置されており、これによって作動油タンク２６及びラジエータ２５の前後配置スペースを可及的に小さくするとともに、ラジエータ２５の前側に張り出した作動油タンク２６後部によってタンク容量を可及的に増大している
前記ボンネット３９，３８，４０は、樹脂製又は金属製板材により形成されており、図２に示すように、前記エンジン２４及びラジエータ２５の後部を覆う開閉自在な後ボンネット３８と、ラジエータ２５の前部側、作動油タンク２６、制御バルブユニット２８を覆う右側部ボンネット（本発明にかかるボンネット）４０と、エンジン２４の前部側、燃料タンク２７の一部を覆う左側部ボンネット３９とを有し、左右側部ボンネット３９，４０は、左右に隣接して配置され、旋回台３に対して固定されている。なお、この左右側部ボンネット３９，４０は、互いに一体に形成されたものであってもよい。
【００１６】
右側部ボンネット４０は、旋回台３の右側部の範囲（支持部６の右側範囲）を略全体に亘って覆うべく前後に長く形成されており、その上壁には、内部機器点検用の点検窓４１，４２が形成されている。
具体的にこの点検窓４１，４２は、図４及び図５に示すように、作動油タンク２６、制御バルブユニット２８、バッテリ２９に対応して形成された第１の点検窓４１と、ラジエータ２５に対応し且つ第１の点検窓４１とは独立して上方に形成された第２の点検窓４２とを有し、これら第１，第２点検窓４１，４２は、図３にも示すように共通の１つのカバー４３にて開閉自在に閉鎖されるようになっている。
【００１７】
第１の点検窓４１は、右側部ボンネット４０の上壁４０ａにおいて、作動油タンク２６、制御バルブユニット２８及びバッテリ２９の上方略全域を開放するように大開口に形成されており、更に、前記作動油タンク２６，バッテリ２９の上部を左右外側方（右側方）へ露出するように右側部ボンネット４０の左右外側壁（右側壁）４０ｂに亘って形成され、該外側壁４０ｂの上端を下方に剔るようにほり下げている。
したがって、第１点検窓４１の形成部位においては、右側部ボンネット４０の左右内側壁（左側壁）４０ｃの上端よりも左右外側壁４０ｂの上端の方が低位置に配設される。
【００１８】
右側部ボンネット４０は、後部側よりも前部側の高さが低く形成され、第１点検窓４１の前縁４１ａも後縁４１ｂよりも低位置に形成されており、外側壁４０ｂにおける第１点検窓４１の側縁４１ｃは、側面視において、前縁４１ａ及び後縁４１ｂに連続して前側が低く後側が高くなるように傾斜して形成されている。また、第１点検窓４１の側縁４１ｃの傾斜は、側面視において前側から後側にかけて徐々に急となる弯曲した円弧形状（凹状の円弧形状）に形成されるようになっており、これによって、右側部ボンネット４０の外側壁４０ｂが深くほり下げられ、作動油タンク２６及びバッテリ２９を右側部ボンネット４０の外側方から点検可能とするとともに、第１点検窓４１の側縁４１ｃ前側が低くなっていることから、低い位置に配設された制御バルブユニット２８であっても比較的容易に点検できるようになっている。
【００１９】
また、第１点検窓４１の側縁４１ｃは、平面視（図５参照）においても前縁４１ａ及び後縁４１ｂに滑らかに連続するように円弧形状に形成されており、これによって開口面積が増大され、メンテナンス性が向上されている。
第１点検窓４１は、前縁４１ａが低く後縁４１ｂが高くなっていることから、前方にも開放されるようになっており、例えば、バッテリ２９の液面チェック等を前方から容易に行えるようになっている。そのため、第１点検窓４１の前縁４１ａは、バッテリ２９の上面レベルよりも低く設定するのが好ましく、図４の例のように、バッテリ２９の上下中途部よりも低くなるように設定するのがより好ましいものとなる。
【００２０】
第２点検窓４２は、ラジエータ２５を点検可能な必要最小限の範囲、具体的には、少なくともラジエータキャップ２５ａの上方域に対応した円形の小開口に形成されている。
このような構成によって、右側部ボンネット４０内の機器２５，２６，２８，２９全てに対応する連続した大開口の点検窓を形成する場合に比べて、右側部ボンネット４０の上壁面積４０ａを可及的に確保することができ、右側部ボンネット４０の強度低下を抑えることが可能となっている。
【００２１】
前記カバー４３は、その左側部（左右内側部）が、右側部ボンネット４０の左側壁（左右内側壁）４０ｃ上縁にヒンジ部材４４（図４参照）を介して左右方向に開閉揺動自在に支持されている。また、第１の点検窓４１を閉鎖する第１閉鎖部４３Ａと、該第１閉鎖部４３Ａの後端から後方に突出されていて第２の点検窓４２を閉鎖する第２閉鎖部４３Ｂとを有しており、第１閉鎖部４３Ａの右側部４３Ａ１は、第１点検窓４１における右側部ボンネット４０の外側壁４０ｂにまでほり下げられた部分を覆うように左右外方に膨出しながら下方に弯曲されている。
【００２２】
このカバー４３を開くことで、作動油タンク２６、制御バルブユニット２８、バッテリ２９及びラジエータ２５の各機器に対する給油、給水又は点検等を一時に行うことが可能で、メンテナンス性の向上が図られており、カバー４３を閉鎖状態に保持するロック装置（図示略）も一つ備えれば足りるものとなっている。第２閉鎖部４３Ｂは、第２点検窓４２を必要最小限の大きさに形成していることから可及的に小さく形成することができ、カバー４３の材料を少なくできると共に、重量増を抑えて開閉を容易に行えるようにしている。
【００２３】
カバー４３は、その前部又は後部を揺動自在に支持して前後方向に開閉するよう構成することも可能である。
しかし、前部を支持した場合には、カバー４３を開いたときに第１点検窓４１の前方を塞ぐこととなって前方からの視認性を阻害し、また、カバー４３が前後に長く形成されていることから、掘削装置５のバケット１２をカバー４３上方に位置させた場合（図１参照）に、開いたカバー４３がバケット１２に干渉する恐れが生じ、後部を支持した場合にも、バケット１２との干渉問題が発生する。
【００２４】
そのため、上記実施形態のように、左右内側部を揺動支点として左右方向に開閉することで、カバー４３が障害となることなく第１点検窓４１の上方、外側方及び前方を開放可能とし、カバー４３を開いたときの上方突出量を小さくして、バケット１２との干渉を防止できるようにするのが好ましい。
本発明は、上記実施形態に限ることなく適宜設計変更可能であり、例えば、第１の点検窓４１は、作動油タンク２６、バッテリ２９、制御バルブユニット２８に対応した比較的大きな開口とされているが、作動油タンク２６用、バッテリ用、制御バルブユニット２８用等に分割された２又は３の点検窓によって構成してもよい。
【００２５】
また、ラジエータ２５，作動油タンク２６，制御バルブユニット２８，バッテリ２９の全てに対応する１の点検窓を右側部ボンネットに形成してもよい。
第１点検窓４１は、作動油タンク２６及びバッテリ２９の上部外側方を露出しなくとも、これらを外側方から点検可能な程度に外側壁４０ｂをほり下げた形状であればよい。
旋回作業機１としては、上述した超旋回型のバックホーに限らず、旋回台３の前端部に掘削装置５の左右揺動支点を配置し、且つ旋回台３の後端部が描く旋回軌跡を走行装置２の左右前後幅内に収めた、所謂後方小旋回型のバックホーや、旋回台３の前端部に掘削装置５の左右揺動支点を配置し、且つ旋回台３の後端部が描く旋回軌跡が走行装置の左右又は前後幅から突出する形態の標準型のバックホーであってもよい。
【００２６】
また、作業装置５のバケット１２に変えて他のアタッチメント機器を装着したものであってもよい。
【００２７】
【発明の効果】
以上詳述したように本発明によれば、ボンネットの外側方から内部機器の点検が行えるようになり、作業者の負担を軽減してメンテナンス性の向上を図ることができる。
【図面の簡単な説明】
【図１】本発明の実施形態にかかる旋回作業機の側面図である。
【図２】旋回台の平面図である。
【図３】旋回台の右側面図である。
【図４】旋回台の右側面断面図である。
【図５】旋回台右側の平面図である。
【符号の説明】
１    旋回作業機
３    旋回台
２５    ラジエータ
２６    作動油タンク
２８    制御バルブユニット
２９    バッテリ
４０    右側部ボンネット
４１    第１点検窓
４２    第２点検窓
４３    カバー
【図１】
0003547367.tif 000002
【図２】
0003547367.tif 000003
【図３】
0003547367.tif 000004
【図４】
0003547367.tif 000005
【図５】
0003547367.tif 000006